(57)【要約】【課題】従来技術はいずれもペットボトルの側面を圧潰するものであり、ペットボトルが縦長の状態で押し潰されるので、あまりペットボトルの減容化にはつながらないという問題があった。【解決手段】ペットボトルもしくは空き缶類の長さ方向の一端に当接する基台と、基台上に基台に直角に設けたガイドレールと、このガイドレール上に基台に向けて進退可能に取り付けられ、ペットボトルもしくは空き缶類の長さ方向の他端に当接する押圧体と、この押圧体に一端を取り付けた第１リンクと、基台に一端を枢着するとともに上記第１リンクの他端を適所に取り付けた第２リンクとからなるリンク機構とを有し、上記第２リンクの自由端を操作して、ガイドレールに沿って押圧体をスライドさせることにより、基台と押圧体との間でペットボトルもしくは空き缶類を長さ方向に押し潰すようにしたことを特徴とするペットボトルもしくは空き缶類圧潰装置。【選択図】      図１
2006122998.tif 000002
【特許請求の範囲】
【請求項１】
ペットボトルもしくは空き缶類の長さ方向の一端に当接する基台と、基台上に基台に直角に設けたガイドレールと、このガイドレール上に基台に向けて進退可能に取り付けられ、ペットボトルもしくは空き缶類の長さ方向の他端に当接する押圧体と、この押圧体に一端を取り付けた第１リンクと、基台に一端を枢着するとともに上記第１リンクの他端を適所に取り付けた第２リンクとからなるリンク機構とを有し、上記第２リンクの自由端を操作して、ガイドレールに沿って押圧体をスライドさせることにより、基台と押圧体との間でペットボトルもしくは空き缶類を長さ方向に押し潰すようにしたことを特徴とするペットボトルもしくは空き缶類圧潰装置。
【請求項２】
ペットボトルもしくは空き缶類の長さ方向の一端に当接する基台と、押圧体支持部の端部に取り付けられたペットボトルもしくは空き缶類の長さ方向の他端に当接する押圧体とが、それぞれペットボトルもしくは空き缶類の長さ方向の端部を保持する凹部を備えていることを特徴とする請求項１に記載のペットボトルもしくは空き缶類圧潰装置。
【請求項３】
第１リンクの第２リンクへの接続位置が、第２リンクに加えた力の約２〜２．５倍の力が第１リンクに加えられるように位置決めされていることを特徴とする請求項１または２に記載のペットボトルもしくは空き缶類圧潰装置。
【発明の詳細な説明】
【技術分野】
【０００１】
この発明は、ペットボトルもしくは空き缶類を手または足で縦方向に圧潰することを目的とするものである。
【背景技術】
【０００２】
従来、ペットボトルを圧潰する装置はそのほとんどがペットボトルを横に寝かして圧潰する方式であった。
例えば、特開２０００−２１８３９７号公報（特許文献１参照）に示すような、合成樹脂製基台にペットボトルを載置する凹面を形成し、該基台の一端に合成樹脂製押圧レバーの下端を枢着し、前記凹面に対向して押圧レバー下面に山形凸面を形成した金属製押圧板を固定してなるペットボトル圧潰装置が知られている。
【０００３】
上記従来例は、ペットボトルを凹面を備えた載置部に載置し、底部を位置決めストッパーに当接した上、押圧レバーを手または足で下方に押圧することによって使用される。その際、先ず金属製押圧板の下端縁がペットボトルの底部近傍を押圧すると、底部は前に傾斜して徐々に空隙部に入り込む。さらに押圧レバーを押圧すると、山形の金属製押圧板がペットボトル本体を扁平状に押圧し、同時に前記底部も押圧レバー下面で金属製押圧板に押圧され、したがってペットボトルの硬い底部も内方に折り込まれ容易にほぼ扁平に押し潰すことができ、復元しにくい形状となる。
他方、円筒状の空き缶は空き缶載置部に載置して圧潰することができる。
【特許文献１】特開２０００−２１８３９７号公報
【発明の開示】
【発明が解決しようとする課題】
【０００４】
しかしながら、上記従来技術はいずれもペットボトルの側面を圧潰するものであり、ペットボトルが縦長の状態で押し潰されるので、あまりペットボトルの減容化にはつながらないという問題があった。
一方、ペットボトルの側面に蛇腹状の折り目を形成して小田原提灯状に押し潰すことができるようにしたペットボトルが知られており、ペットボトルの減容化に多大な貢献をすることが期待されている。しかしながら、使い勝手やコスト等の面で従来のペットボトルに置き換えられるまでには至っていないのが実情である。
【課題を解決するための手段】
【０００５】
この発明のペットボトルもしくは空き缶類圧潰装置は上記問題点を解決することを目的とし、ペットボトルもしくは空き缶類の長さ方向の一端に当接する基台と、基台上に基台に直角に設けたガイドレールと、このガイドレール上に基台に向けて進退可能に取り付けられ、ペットボトルもしくは空き缶類の長さ方向の他端に当接する押圧体と、この押圧体に一端を取り付けた第１リンクと、基台に一端を枢着するとともに上記第１リンクの他端を適所に取り付けた第２リンクとからなるリンク機構とを有し、上記第２リンクの自由端を操作して、ガイドレールに沿って押圧体をスライドさせることにより、基台と押圧体との間でペットボトルもしくは空き缶類を長さ方向に押し潰すようにしたことを特徴とするものである。
【０００６】
この発明のペットボトルもしくは空き缶類圧潰装置は、上記ペットボトルもしくは空き缶類の長さ方向の一端に当接する基台と、押圧体支持部の端部に取り付けられたペットボトルもしくは空き缶類の長さ方向の他端に当接する押圧体とが、それぞれペットボトルもしくは空き缶類の長さ方向の端部を保持する凹部を備えていることをも特徴とするものである。
【０００７】
この発明のペットボトルもしくは空き缶類圧潰装置は、上記第１リンクの第２リンクへの接続位置が、第２リンクに加えた力の約２〜２．５倍の力が第１リンクに加えられるように位置決めされていることをも特徴とするものである。
【発明の効果】
【０００８】
したがって、ペットボトルを長さ方向に押し潰すことができ、ペットボトルが縦長の状態で押し潰されるので、ペットボトルの減容化を大幅に促進させることができる。
また、ペットボトルの側面に蛇腹状の折り目等を形成した場合のような、使い勝手やコスト等の面での問題点も解消することができるようになった。
【発明を実施するための最良の形態】
【０００９】
この発明のペットボトルもしくは空き缶類圧潰装置の実施の形態を図１ないし図６に基づいて詳細に説明する。
図１はこの発明のペットボトルもしくは空き缶類圧潰装置の１実施例を示す側面図、図２はその正面図、図３はその拡大平面図、図４は押し潰す家庭を示す側面図、図５（ａ）は押し潰されるペットボトルの１例を示す側面図、（ｂ）はその概略断面図、図６（ａ）は押し潰されるペットボトルの他の例を示す側面図、（ｂ）はその概略断面図、図７はこの発明のペットボトルもしくは空き缶類圧潰装置の他の実施例を示す側面図である。
【００１０】
図１ないし図３において、１はペットボトル１１の長さ方向の一端に当接する基台で、上面はペットボトル１１の底部を載置するための凹面２が形成されている。上記基台１上には、基台１に直角にコ字状のガイドレール３が設けてあり、このガイドレール３上には、その側壁間に押圧体４が基台１に向けて進退可能に取り付けられている。そして上記押圧体４はペットボトル１１の長さ方向の他端に当接するようになっている。さらに、押圧体４の下面にはペットボトル１１の上端をはめ込むための凹面５が形成されている。
【００１１】
また、上記押圧体４の長さ方向のほぼ中央において、押圧体４の幅方向に一対の第１リンク６がその一端を取り付けられており、また上記基台１のガイドレール３を取り付けた位置の両側に一対の第２リンク７が一端を枢着されている。その上で、上記第１リンク６の他端は第２リンク７の適所に取り付けられている。
上記第１リンク６の第２リンク７への接続位置は、第２リンク７に加えた力の約２〜２．５倍の力が第１リンク６に加えられるように位置決めされていることが望ましい。このようにすれば、第２リンク７を操作レバーとして機能させることが可能となり、ペットボトル１１を押し潰すために第２リンク７の自由端に加える力を大幅に軽減することができる。８は一対の第２リンク７の自由端に差し渡して取り付けた取っ手である。
【００１２】
この発明のペットボトルもしくは空き缶類圧潰装置の適用できるペットボトル（もしくは空き缶類）１１としては、図５（ａ）、（ｂ）のような、面取りをした長方形断面の大型ペットボトルや、図６（ａ）、（ｂ）のような円形断面の小型ペットボトル等が上げられる。もちろん、スチール缶やアルミ缶等の空き缶類にも適用することが可能である。
【００１３】
次に作用について説明する。
ペットボトル１１を図２の如く基台１上面の凹面２に載置する。次いで第２リンク７の自由端に設けた取っ手８を手または足で下方に押圧する。すると、先ず押圧体４下面の凹面５がペットボトル１１の上端にはめ込まれ、その後徐々にペットボトル１１を長さ方向に押圧する。
【００１４】
さらに取っ手８を押圧すると、第１リンク６および第２リンク７からなるリンク機構が作動し、第２リンク７が円弧状に回動するのに応じて、図４のように第１リンク６が押圧体４をガイドレール３に沿って直線的にスライド移動させる。９は、ガイドレール３の前後のフレーム間に挟まれて押圧体４を確実にスライドさせるためのスライダであり、押圧体４の後部に一体的に形成されている。
その際、上記第１リンク６によって牽引される押圧体４にかかる力は、第２リンク７に加えた力の約２〜２．５倍の力となり、ペットボトル１１をより大きい力で押し潰すことができる。最終的には、ペットボトル１１を側壁が押し潰されて飲み口部分が底面に接するまで押し潰すことが可能であり、ペットボトル１１の大幅な減容化が促進されることになるのである。
【００１５】
次に円筒状の空き缶は、ペットボトル１１と同様に基台１上面の凹面２に載置する。ただしその高さはペットボトル１１とはかなり異なって低いので、押圧体４の凹面５も低い位置で空き缶の上面に当接する。それ以外はペットボトル１１の場合と同様にして圧潰することができる。
【００１６】
なお上述したところでは上記第１リンク６によって牽引される押圧体４にかかる力を、第２リンク７に加えた力の約２〜２．５倍の力となるように第１リンク６と第２リンク７との長さを設定したが、押圧体４にかかる力は第２リンク７に連結する第１リンク６の位置を低くしたり、連結位置から自由端までの長さをより長くすることによって高めることができる。しかしながら、あまり第２リンク７を長くすると逆に操作しにくくなる。
【００１７】
図７はこの発明のペットボトルもしくは空き缶類圧潰装置の他の実施例を示すものであり、この例では上記第１リンク６の他端を、Ｌ字形に形成した第２リンク７の短アーム７１の先端に連結している。
したがって、第２リンク７の長アーム７２の端部に設けた取っ手８を操作すれば、第１リンク６および第２リンク７からなるリンク機構が作動し、第２リンク７が円弧状に回動する。それに応じて、図７のように第１リンク６が押圧体４をガイドレール３に沿って直線的にスライド移動させ、ペットボトル１１をより大きい力で押し潰すことができる。最終的には、ペットボトル１１を側壁が押し潰されて飲み口部分が底面に接するまで押し潰すことが可能である。
この実施例では、押圧体４をほぼ直線的に牽引することができ、押圧体4により効率的に力をかけることができる。
【産業上の利用可能性】
【００１８】
この発明は、ペットボトルを長さ方向に押し潰すことができ、ペットボトルが縦長の状態で押し潰せるようにしてあるので、ペットボトル（もしくは空き缶類）１１の大幅な減容化が可能となる。そして、いわゆる飲料用のペットボトル（もしくは空き缶類）のみならず、整髪料その他の化粧品用、あるいは殺虫剤その他の噴霧用等のペットボトルや空き缶類にも適用できることはもちろんである。
【図面の簡単な説明】
【００１９】
【図１】この発明のペットボトルもしくは空き缶類圧潰装置の１実施例を示す側面図である。
【図２】その正面図である。
【図３】その拡大平面図である。
【図４】押し潰す家庭を示す側面図である。
【図５】（ａ）は押し潰されるペットボトルの１例を示す側面図、（ｂ）はその概略断面図である。
【図６】（ａ）は押し潰されるペットボトルの他の例を示す側面図、（ｂ）はその概略断面図である。
【図７】この発明のペットボトルもしくは空き缶類圧潰装置の他の実施例を示す側面図である。
【符号の説明】
【００２０】
１  基台
２  凹面
３  ガイドレール
４  押圧体
５  凹面
６  第１リンク
７  第２リンク
８  取っ手
９  スライダ
１１  ペットボトル
７１  短アーム
７２  長アーム
【図１】
2006122998.tif 000003
【図２】
2006122998.tif 000004
【図３】
2006122998.tif 000005
【図４】
2006122998.tif 000006
【図５】
2006122998.tif 000007
【図６】
2006122998.tif 000008
【図７】
2006122998.tif 000009